(57)【特許請求の範囲】
【請求項１】
時計ケースの外表面上を摺動し、時計ケースに設けられた開口を介して所望機能の制御用のスライドブロックに連結されている締め具と、開口の周囲に配置されたシーリングガスケットと、締め具に組み合わされた制御手段とを備えて、制御手段によって、締め具が時計ケースに対してロックされた休止状態と呼ばれる第１状態から、締め具のロックが解除されてガスケットが圧縮されていないセット状態と呼ばれる第２状態へ移動させることができるようにした時計用の手動制御装置であって、シーリングガスケットは締め具と時計ケースの外表面の間において開口の周囲に配置されており、制御手段は、偏心部分を備えた回動できるレバーを含み、このレバーによってセット状態から休止状態へ、またはその逆に移動させることができるようにしたことを特徴とする手動制御装置。
【請求項２】
締め具は、シーリングガスケットに取り付けられた細片と組み合わされており、制御手段は細片に作用することを特徴とする請求項１記載の制御装置。
【請求項３】
細片は弾性的であって、一カ所で締め具に固定されており、回動できるように連結されたレバーは、細片に対して締め具への固定点から離れた位置で偏心部分を介して作用することを特徴とする請求項２記載の制御装置。
【請求項４】
休止状態において、偏心部分の外郭と前記細片との接触点は、レバーの連結軸線から細片に下ろした垂直線からずれた位置にあることを特徴とする請求項３記載の制御装置。
【請求項５】
セット状態において、レバーが安定位置に保持されるように偏心部分の外郭を構成していることを特徴とする請求項２から４までのいずれか１項記載の制御装置。
【請求項６】
細片及びシーリングガスケットは、締め具の、時計ケースに面する側に広がっている表面に形成された長楕円形凹部にはまっていることを特徴とする請求項２から５までのいずれか１項記載の制御装置。
【請求項７】
レバーは、締め具の、ケースに対して外側にある表面に形成された凹部にはまることを特徴とする請求項２から６までのいずれか１項記載の制御装置。
【請求項８】
休止状態において、レバーは締め具の外表面と面一になるように凹部にはまり込んでいることを特徴とする請求項７記載の制御装置。
【請求項９】
シーリングガスケットは細片に接着されていることを特徴とする請求項１から８までのいずれか１項記載の制御装置。
【発明の詳細な説明】
【０００１】
【発明の属する技術分野】
本発明は、時計用の手動制御装置に関し、さらに特定すれば、時打ち機構の制御またはセットのために時計ケースの外表面上を摺動する締め具を含む手動制御装置に関する。いうまでもなく、時打ち機構の操作に限定されるわけではない。
【０００２】
【従来の技術】
図１は、従来技術に属し、スイス特許第６７２，８６８号に対応した上記形式の時計用の制御装置を示している。この制御装置には、時計ケース６の外表面４上を摺動し、ケース６に設けられた長楕円形開口８を介して、時打ち機構の打方装置を制御するためのラック（図示せず）のアームと協働するスライドブロック１０に機械的に連結された締め具２が設けられている。スライドブロック１０とケース６の内壁１４との間にシーリングガスケット１２が配置されている。この制御装置はさらに締め具２をロックする手段１６を備えており、この手段は締め具２に対して、ガスケット１２がスライドブロック１０と壁１４の間に圧縮されて制御装置を確実に密封することができる第１位置と、ガスケット１２が圧縮されず、時打ち機構が打つために締め具２がケース６に対して移動できるようにする第２位置との間を移動することができる。締め具２に溝１８が設けられ、その内部をロック部材２０が摺動する。この部材２０は、ストッパ部分２２と長楕円形穴２４とを含み、締め具２にはまっている肉薄部分２６が、締め具２から出ている肉厚部分３０に斜面２８を介して連結されている。ねじ３２が壁１４及び穴２４を通って締め具２をスライドブロック１０に連結しており、自己潤滑パッド３４が部材２０と締め具２の間に挿入されている。ねじ３２の頭部とスライドブロック１０の間にもガスケット３６が設けられている。図１では、締め具２は休止位置にあって、ガスケット１２は圧縮されており、締め具２は移動できない。時打ち機構をセットするために、ユーザは爪で部材２０をケース６及び締め具２に対して矢印Ｆの方向に、ストッパ部分２２がパッド３４に接するまで移動させる。この時、部材２０の肉薄部分２６がパッド３４の位置に来て、ガスケット１２の圧縮が解除されて、締め具２は矢印Ｆと反対の方向に移動することができ、これと共にスライドブロック１０を駆動し、時打ち機構がセットされる。締め具２が解放された時、それは戻し手段によって休止位置に移動し、その移動中に時打ち機構を作動させ、それによって時間、１５分、及び分打ち時計の場合には分を連打する。
【０００３】
しかし、この装置には、締め具２が休止位置に戻る移動中に休止位置に達する前にロックされ、そのために分、１５分、さらには時間の打ち方が不完全になるという重大な危険性がある。ガスケット１２の表面積が大きいことと、それを形成している素材、この場合はネオプレーンの性質とによって、壁１４に対する摩擦係数が大きいため、締め具２に手を添えなければ、締め具２が中間位置で止まりやすい。この危険性は、締め具２が休止位置に戻るためにパッド３４が再び上らなければならない斜面２８の存在によってさらに増大する。
【０００４】
さらに、この制御装置では、締め具２を解放するためにユーザは比較的強い力をロック部材に加えなければならず、傷付いたり、爪が割れる危険がある。
【０００５】
【発明が解決しようとする課題】
このため、本発明の第１の目的は、時打ち機構をセットするなどの手動操作の際に、確実に作動する時計用の手動制御装置を提供することによって、上記従来技術の欠点を解決することである。
【０００６】
本発明の別の目的は、ケースの内部をその外部から簡単かつ経済的に確実に密封できるようにする時計用の手動制御装置を提供することである。
【０００７】
本発明の別の目的は、時計の美的外観を損なうことがなく、ユーザが使いやすい時計用の手動制御装置を提供することである。
【０００８】
【課題を解決するための手段】
従って、本発明は、時計ケースの外表面上を摺動し、時計ケースに設けられた開口を介して所望機能の制御用のスライドブロックに連結されている締め具と、開口の周囲に配置されたシーリングガスケットと、締め具に組み合わされた制御手段とを備えて、制御手段によって、締め具が時計ケースに対してロックされた休止状態と呼ばれる第１状態から、締め具のロックが解除されてガスケットが圧縮されていないセット状態と呼ばれる第２状態へ移動させることができるようにした時計用の手動制御装置であって、シーリングガスケットは締め具と時計ケースの外表面の間において開口の周囲に配置されており、制御手段は、偏心部分を備えた回動できるレバーを含み、このレバーによってセット状態から休止状態へ、またはその逆に移動させることができるようにしたことを特徴とする手動制御装置である。
【０００９】
このため、レバーによる締め具の操作がユーザにとって容易である。
【００１０】
本発明の好適な特徴によれば、本装置はさらに、シーリングガスケットに取り付けられて一カ所で締め具に固定された弾性細片を備えており、制御手段は、細片に対して締め具への固定点から離れた位置で偏心部分によって作用する。
【００１１】
【作用】
この特徴の結果、レバーは、細片を介したケースの外表面へのシーリングガスケットの圧縮だけでなく、そのレバーの休止状態でのロックを簡単かつ効果的に行うことができる。さらに、セット状態では、シーリングガスケットが弾性細片に連結されていることから、ガスケットをケースの外表面から離しておくことができるため、その表面に対するガスケットの摩擦の問題がなくなる。従って、セット後に締め具が戻る移動がまったく妨害されない。
【００１２】
【発明の実施の形態】
本発明の他の特徴及び利点は、添付の図面を参照しながら非制限的な例を示す好適な実施形態の以下の説明から明らかになるであろう。
【００１３】
以下の本発明に従った手動制御装置の説明は、腕時計の時間、１５分及び分を打つ時打ち機構のセットに好都合に適用する範囲で行われる。しかし、本発明はこの適用例に限定されることはなく、他のいずれの機能の制御にも好都合に使用できることは言うまでもない。
【００１４】
図２及び図３に概略的に示されている腕時計は、従来通りにほぼ円形の中間部材１０２が形成されているケース１００を含み、これに本発明に従った手動制御装置１０４が取り付けられている。
【００１５】
制御装置１０４は、ケース１００の中間部材１０２の外表面１０８上を摺動する締め具１０６を含む。図示の例では、この表面１０８が、中間部材１０２に設けられた長楕円形の凹部１１０の底部を形成している。締め具１０６の下表面１１２は底部１０８の形状に合わせられており、この下表面１１２及び底部１０８は、締め具１０６が底部１０８に対して摺動できるような形状を有している。底部１０８に長楕円形の開口１１４が設けられ、それにねじ１１６が挿通されている。このねじは、スライドブロック１１８に締め具１０６を機械的に連結している。スライドブロック１１８は、図示しない時打ち機構をセットするアーム１２２をピン１２０を介して制御する。
【００１６】
ここで、開口１１４の長さが、所望機能のセットを行うための締め具１０６の有効行程長を定めることがわかる。時打ち機構のセットの場合、この開口１１４の長さは、一般的に締め具１０６の長さのほぼ半分である。
【００１７】
スライドブロック１１８は、中間部材１０２の内表面１２６の形状に合わせた上表面１２４を有しており、これらの表面１２４、１２６は、スライドブロック１１８が内表面１２６に沿って摺動できるようにする形状を有している。スライドブロック１１８の長手方向に延びるように円弧に沿ったステム１２８が配置されている。このステム１２８の自由端部１３０は、中間部材１０２の内表面１２６から垂直に延びているトング１３４のオリフィス１３２に入り込むように摺動する。スライドブロック１１８を図３に示されている所定位置に戻すために、コイルばねＲがステム１２８に巻かれて、トング１３４とスライドブロック１１８の間に配置されている。
【００１８】
本発明の特徴によれば、制御装置１０４はさらに、中間部材１０２の外表面１０８と締め具１０６の下表面１１２の間に配置されて、少なくとも開口１１４の周囲に広がっているシーリングガスケット１３６を含む。図示の例では、ガスケット１３６は実質的に開口１１４の表面を完全に覆う細片の形状である。この細片の幅は開口１１４の幅より広く、その長さは締め具１０６の長さとほぼ同じである。このため、ねじ１１６は密封状態でガスケット１３６を貫通している。ガスケット１３６は、好ましくはエラストマーまたはゴムで製造されるが、時計分野においてガスケットを製造するために一般的に使用される他の合成または天然素材も考えることができる。
【００１９】
本発明の他の特徴によれば、ガスケット１３６は細片１３８と組み合わせられており、細片１３８は一カ所で締め具１０６に固定され、かつ締め具１０６に対して固定箇所を中心として移動できる（図４，５参照）。ねじ１１６は細片１３８も貫通している。図示の実施形態によれば、細片１３８は弾性細片であって、ガスケット１３６はそれに接着等で固定されている。さらに正確に言うと、ガスケット１３６及び細片１３８は、中間部材１０２に面する位置にある締め具１０６の下表面１１２に設けられた長楕円形の凹部１４０にはまっている。細片１３８は、例えばねじ１４２を使用して一端部で凹部１４０の底部に固定されており、その自由端部は細片の弾性で底部に戻る。これに関して、図４，５のようにねじ１４２の頭部を細片１３８に埋め込み、ガスケット１３６がねじ１４２の頭部を覆うことが好ましいことがわかるであろう。
【００２０】
制御装置１０４にはさらに、本装置１０４を締め具１０６がロックされた休止状態と呼ばれる第１状態から、締め具１０６のロックが解除されたセット状態と呼ばれる第２状態へ移動させるために締め具１０６と組み合わされた制御手段１４４が設けられている。休止状態では、締め具１０６はケース１００に対して自由に摺動することができず、ガスケット１３６は中間部材１０２の外表面１０８に押し付けられている（図４）ため、外部に対するケース１００の密封状態が確実に得られる。セット状態では、締め具１０６はケース１００に対して自由に摺動することができ、ガスケット１３６は圧縮されていない（図５）ため、装置１０４に関する密封状態が補償されなくなる。図示の例では、制御手段１４４は、締め具１０６に取り付けられた軸線１４８の回りに回動するように連結されたレバー１４６を備えており、このレバー１４６によって制御装置１０４をセット状態から休止状態へ、またはその逆に移動させることができる。レバー１４６は、操作部分１４６ａと、偏心部分で形成されて細片１３８に作用する制御部分１４６ｂとを備えている。図面はまた、レバー１４６が、中間部材１０２に対して外側の締め具１０６の外表面１０８に設けられた凹部１５０にはまっていることも示している。この凹部１５０は長楕円形凹部１４０に開いており、レバー１４６の偏心部分１４６ｂが凹部１４０に部分的にはまって細片１３８と接触する。偏心部分１４６ｂと細片１３８との接触点は、締め具１０６への細片１３８の固定点から離れており、好ましくは細片１３８の自由端部に近い位置にある。休止位置では偏心部分１４６ｂが細片１３８及びガスケット１３６に作用してそれらを中間部材１０２の外表面にしっかり押し付けることによって締め具１０６の摺動を防止し、またセット位置では部分１４６ｂが十分に後退して細片１３８及びガスケット１３６が外表面１１２から解放されて凹部１４０に収容され、それによって締め具１０６が中間部材１０２に対して摺動することができるように、偏心部分１４６ｂの外郭の形状が定められている。実際上及び美観的理由から、休止位置でレバー１４６は締め具１０６の外表面と面一になるように凹部１５０にはまり込み、セット位置でレバー１４６は締め具１０６から突出して、ユーザが制御装置１０４を操作しやすくすることがわかるであろう。
【００２１】
また、制御装置１０４の休止状態では、偏心部分１４６ｂと細片１３８との接触点Ｃが連結軸線から細片１３８に下ろした垂直線Ｖから相当にずれた位置にあり、このことによってレバー１４６は他の手段を追加しなくても凹部１５０内で安定位置に維持されることもわかる。
【００２２】
同様に、装置がセット状態にある時、レバーが上記位置に安定的に維持されるように偏心部分１４６ｂが構成されている。
【００２３】
このために、偏心部分１４６ｂは、最高地点が軸線１４８から細片１３８に下ろした垂直線からずれた位置にある第１凸状部分１５２を含み、レバー１４６が装置１０４のセット状態に対応した位置から装置１０４の休止状態に対応した位置に移動する間、凸状部分１５２の最高地点は軸線１４８から細片１３８に下ろした垂直線の位置を通過し、さらに移動し続けて、細片１３８が中間部分１０２に当接した安定的平衡位置に達する。
【００２４】
第１部分１５２に続いてほぼ平坦な第２部分１５４が形成されており、セット位置ではこれに弾性細片１３８が当接する。このように、レバー１４６は、制御装置１０４が休止状態にあるか、セット状態にあるかに応じて、２つの安定位置を有している。
【００２５】
本発明に従った制御装置に対して本発明の範囲から逸脱することなく一定の変更を加えることができる。このため、例えば、細片１３８を省略し、レバー１４６をねじ１１６に回動できるように連結することが考えられ、その場合、レバー１４６は直接的に締め具１０６に作用し、締め具がガスケット１３６を介して中間部材１０２の外表面１１２に当接する。もちろん、締め具１０６をねじ１１６に取り付けない。
【図面の簡単な説明】
【図１】先に説明した従来技術の手動制御装置の断面図である。
【図２】本発明に従った制御装置を示す分解斜視図である。
【図３】本発明に従った制御装置を備えた時計ケースの半分の一部断面図で示した上面図である。
【図４】本発明に従った制御装置の時計ケースの壁に垂直な断面図であり、制御手段は締め具の休止位置にある。
【図５】図４と同様な断面図であるが、制御手段は締め具のセット位置にある。
【符号の説明】
１０４  制御装置、  １０６  締め具、  １１４  開口、
１１８  スライドブロック、  １３６  シーリングガスケット、
１４４  制御手段、  １４６  レバー、  １４６ｂ  偏心部分
【図１】
0004285835.tif 000002
【図２】
0004285835.tif 000003
【図３】
0004285835.tif 000004
【図４】
0004285835.tif 000005
【図５】
0004285835.tif 000006